(57)【要約】【課題】除雪作業における除雪再開時の作業容易性を得ることのできる姿勢保持型の積載式除雪用具を提供する。【解決手段】フレームとこのフレームに固定されるバケットとからなる積載式除雪用具において、フレーム適所に補助アームを、その位置保持とフレームに対する回動の選択を可能に設けたことを特徴とする。【選択図】図５
2010059760.tif 000002
【特許請求の範囲】
【請求項１】
フレームとこのフレームに固定されるバケットとからなる積載式除雪用具において、フレーム適所に補助アームを、その位置保持とフレームに対する回動の選択を可能に設けたことを特徴とする姿勢保持型積載式除雪用具。
【発明の詳細な説明】
【技術分野】
【０００１】  この発明は、路面載置時にその姿勢を保持できる積載式の除雪用具に関する。
【背景技術】
【０００２】  従来より、除雪用具としての積載式除雪用具が多用されているが、本発明に示すように、姿勢保持型のものは現在のところ見あたらない。
【発明の開示】
【発明が解決しようとする課題】
【０００３】  降雪地域においては、冬期降雪によって路面に雪が堆積するため、その除去すなわち除雪が必要となる。除雪手段としては、人力と機械力とに大別され、人力用具としては、スコップ等とともに積載式除雪用具が多用されている。この積載式除雪用具は、通称スノーダンプと呼ばれ、雪を積載するためのバケット部分と、このバケット部分と一体化しているフレーム部分とからなり、フレームを押してバケット先端を雪中に入れて雪を積載し、そのまま手押しにてあるいはフレームを引きずって雪を運搬し、排雪場所に至ればフレームを上方に持ち上げるか左右に傾けてバケット内の雪を排雪するものである。
このスノーダンプはスコップ等の他の人力用除雪用具に比べて除雪能力が高く、降雪多量の地域では多用されている。除雪の中断時では、このスノーダンプを雪路面上に放置することとなるが、このスノーダンプの重心位置の関係でフレームが路面に接する位置に至り、再使用時にはかがんでフレームを持ち上げる動作が必要であり、無用の労力を要し、より利便性のある積載式除雪用具が望まれている。
本発明は、以上のような従来からの積載式除雪用具に関わる課題を解決するために発明されたもので、回動可能なる補助アームを付加することにてこの課題を解決することのできる新規かつ有用なる除雪用具を提供することを目的として開発されたものである。
【課題を解決するための手段】
【０００４】  課題を解決する手段として本発明は以下の構成とした。
すなわち、フレームとこのフレームに固定されるバケットとからなる積載式除雪用具において、フレーム適所に補助アームを、その位置保持とフレームに対する回動の選択を可能に設ける。本発明は以上の構成よりなる姿勢保持型積載式除雪用具である。
【発明の効果】
【０００５】  本発明によれば、フレームに対し補助アームをその位置保持と回動の双方を可能に設けたので、補助アーム位置を適宜に選択することにより、除雪中断時における雪路面に対するフレーム位置を適切なものとして、除雪再開時の作業開始を容易なものとすることのできる、新規かつ有用なる除雪用具を得ることができる。
【発明を実施するための最良の形態】
【０００６】  以下、本発明の実施形態について説明する。
図において、１はフレームで、平面視略コ字形の管体であり、その略中央は正面視において鈍角に折曲されている。２はバケットで、中央に向けて凹部となる合成樹脂製板体であり、上記フレームにビス止めされる。このバケットは先端は浅く後方に向かうにつれて深くなる凹部を有している。以上の構成は市販のスノーダンプと同様である。
３は補助アームで、略コ字形の管体であり、その巾は前記フレーム巾と同様である。
この補助アームは後述のアーム回動機構にてフレームの折曲部に設けられる。
４はアーム回動機構である。５は金属平板によるステーで、アームの折曲部に所定間隔にて固着される一対の板体であり、その中央に孔を有し、この孔に軸６が挿通固定される。
７は歯車で、ステー間の軸に挿通固定される。この歯車は一般の歯車と異なり、その歯形は丸みを帯びている。前記補助アーム端は管体端面を板体固着にて閉塞され、この板体に板バネ８が固着される。
この板バネは所定巾の鋼板を略直角に丸みを持って折曲して形成され、その一端は前記板体に固着され、他端は自由であり、図８のごとく斜方に立設固定される。
補助アーム端両側には一対の支持板９が固着され、この支持板間隔は前記ステーの間隔よりわずかに大きく、また支持板端近傍には孔が穿設され、この孔は前記の軸６の外径よりわずかに大きく、この孔内に軸を位置させて支持板が設けられ、この取付状態において板バネ折曲部分は前記歯車の歯に噛み合っている。
以上のステー、軸、歯車、板バネ、支持板にてアーム回動機構が構成される。なお、必要に応じて補助アームに管体による補強がなされる。【０００７】  本発明の使用に際しては、除雪時には補助アームを適宜に回動させておき、一般のスノーダンプ同様に使用する。除雪中断時は補助アームを中間位置に回動させると、図１０のごとくスノーダンプは雪路面上にバケット部分をほぼ水平にして位置することができ、作業再開が容易となる。
アーム回動機構は以下のごとく機能する。
すなわち、板バネ頂点は丸みを帯びた略直角に折曲されており、ここが前記歯車の歯間に位置している。補助アームを軸を中心に回動させると、板バネも回動しようとし、歯間位置から歯の頂部を越えて次の歯間まで移動する。このとき、板バネの一端は自由であるために、板バネは弾性変形を起こし、次の歯間へ移動して板バネ形状は初期状態となる。
この板バネの弾性変形のためには所定の外力を必要とし、つまり補助アームの回動のためにはこの弾性変形に打ち勝つ外力が必要となるため、人力による外力が働くときには補助アーム回動が可能となるが、それ以外のときは補助アームの回動はなされない。
従って、使用者の動作にて選択的に補助アームの回動と位置保持が可能となる。
歯車の歯は対称形であるため、補助アームの回動は正面視において所定範囲内にて時計方向と反時計方向のいずれでも可能であり、図９、図１０、図１１のいずれの位置でも選択することができる。【０００８】  以上、本発明について記したが、本発明は補助アームの存在にて非除雪時における除雪用具の姿勢保持を可能としたところにその特徴を有するものである。既述のように、従来品にはこの機能が無く、除雪再開時にはかがんでフレームをつかんで持ち上げてから除雪作業を再開することとなるため、無用の労力を要するものであったが、本発明にてこれが解消されるものとなったのである。なお、本例では補助アームの回動機構として歯車と板バネを用いたが、他にラチェット車を用いた公知の機構を用いて構成してもよい。
また、本例のようなアームスタイルに代えて、自転車の補助スタンドのように、棒体のロックと回動による機構を用いて構成してもよい。さらに、本例のようにフレームの補助アームを取り付けて一体化する手段以外に、フレームに適宜支持部材にて補助アームを着脱可能に設けてもよい。また、補助アームは状況に合わせてそのサイズを適宜に変えて用いてもよい。既述の例は実施の一例であり、近似の他の構成とすることができる。
以上のごとく、本発明によって除雪作業を容易ならしめる有用なる除雪用具を得ることができる。
【図面の簡単な説明】
【０００９】
【図１】  従来例の平面図
【図２】  従来例の正面図
【図３】  従来例の雪路面放置状態図
【図４】  本発明の平面図
【図５】  本発明の正面図
【図６】  本発明の右側面図（雪路面放置状態）
【図７】  本発明の要部構造説明図（右側面視）
【図８】  本発明の要部構造説明図（正面視）
【図９】  本発明の使用説明図
【図１０】  本発明の使用説明図
【図１１】  本発明の使用説明図
【符号の説明】
【００１０】  １  フレーム
２  バケット
３  補助アーム
４  アーム回動機構
５  ステー
６  軸
７  歯車
８  板バネ
９  支持板
【図１】
2010059760.tif 000003
【図２】
2010059760.tif 000004
【図３】
2010059760.tif 000005
【図４】
2010059760.tif 000006
【図５】
2010059760.tif 000007
【図６】
2010059760.tif 000008
【図７】
2010059760.tif 000009
【図８】
2010059760.tif 000010
【図９】
2010059760.tif 000011
【図１０】
2010059760.tif 000012
【図１１】
2010059760.tif 000013